(57)【要約】【課題】プロテクタ本体に電線群を効率よく収容して位置決めすることができ、電線群の導体に応力が掛からないプロテクタおよびワイヤハーネスを提供する。【解決手段】底壁部５ａおよび底壁部５ａの両縁部に連なる一対の側壁部５ｂを有し、かつ電線群２に対して周方向に余長部を有して電線群２が挿通される可撓性チューブ３の端部を収容する断面コ字形状のプロテクタ本体５を備え、一方の側壁部５ｂは、可撓性チューブ３の端部の周方向の余長部を二つに折り畳んだ二つ折りの余長部３ａを挟み入れて固定するスリット部５ｃを有する構成としている。【選択図】図１
2016167951.tif 000002
【特許請求の範囲】
【請求項１】
電線群を被覆しかつ前記電線群に対し周方向の長さが大きいことにより前記電線群の一側において二つ折り可能な余長部を有する可撓性チューブの端部を収容するとともに前記余長部を固定するプロテクタであって、
底壁部および前記底壁部の両縁部に連なる一対の側壁部を有する可撓性チューブの端部を収容するプロテクタ本体と、
前記プロテクタ本体の一方の側壁部に設けられ、前記可撓性チューブの前記二つ折りの余長部を挟み入れて固定するスリット部と、を備えたことを特徴とするプロテクタ。
【請求項２】
電線群を被覆しかつ前記電線群に対し周方向の長さが大きいことにより前記電線群の一側において二つ折り可能な余長部を有する可撓性チューブの端部を収容するとともに前記余長部を固定するプロテクタであって、
底壁部および前記底壁部の両縁部に連なる一対の側壁部を有し可撓性チューブの端部を収容するプロテクタ本体と、
前記底壁部から前記一方の側壁部に近接して立上がるリブと、
前記リブに設けられ、前記可撓性チューブの前記二つ折りの余長部を挟み入れて固定するスリット部と、を備えたことを特徴とするプロテクタ。
【請求項３】
前記プロテクタ本体の上部開口を閉塞する蓋体をさらに備え、
前記蓋体には、前記上部開口を閉鎖するときに、前記リブと前記一方の側壁部との空隙に前記底壁部近傍まで入り込んで前記二つ折りの余長部を前記底壁部へ押付ける余長部押圧部を有することを特徴とする請求項２に記載のプロテクタ。
【請求項４】
電線群を被覆しかつ前記電線群に対し周方向の長さが大きいことにより前記電線群の一側において二つ折り可能な余長部を有する可撓性チューブの端部を収容するとともに前記余長部を固定するプロテクタであって、
ヒンジ部で一体に連結された断面Ｌ字形状の第１の角筒形成用半体と断面Ｌ字形状の第２の角筒形成用半体とが、閉じ合わされかつ閉じ合わせ部に備えたロック具でロックされた角筒状の形態で前記可撓性チューブの端部を収容するプロテクタ本体と、
前記角筒状の形態になったときに、前記ヒンジ部の一側に形成される前記第１の角筒形成用半体と前記第２の角筒形成用半体との隙間であって、前記二つ折りの余長部を挟み入れて固定するスリット部を有することを特徴とするプロテクタ。
【請求項５】
前記スリット部は、スリット長手方向の開放端側より閉塞端側に向けて先細りとなるテーパー形状を有することを特徴する請求項１ないし請求項４のいずれか１項に記載のプロテクタ。
【請求項６】
電線群と、前記電線群を被覆する可撓性チューブと、請求項１ないし請求項５のいずれか１項に記載のプロテクタと、を有し、
前記プロテクタ本体に前記可撓性チューブの端部を収容するとともに、前記可撓性チューブの前記二つ折りの余長部を前記スリット部に挟み入れて固定していることを特徴とするワイヤハーネス。
【発明の詳細な説明】
【技術分野】
【０００１】
本発明は、プロテクタおよびワイヤハーネスに関する。
【背景技術】
【０００２】
従来、可撓性チューブにより保護された電線群を有するワイヤハーネスを、プロテクタに収容して固定するために、結束バンドもしくは粘着テープを用いてプロテクタに対して可撓性チューブを固縛する手法が採られている。また、断面が凹形状のプロテクタ本体に内部に複数のリブを設けて、ワイヤハーネスを位置決めするように構成したプロテクタが知られている（例えば、特許文献１参照）。
【０００３】
図１０に示すように、特許文献１に記載されたプロテクタ１０１は、底壁部１０２ａおよび底壁部１０２ａの両縁部に連って向き合う一対の側壁部１０２ｂを有するプロテクタ本体１０２と、各側壁部１０２ｂからプロテクタ本体１０２の中心に向けて交互に突出する複数のリブ１０３とを備えている。
【０００４】
プロテクタ１０１は、プロテクタ本体１０２の内部に収容されるワイヤハーネスとしての電線群１０４を、複数のリブ１０３の位置に合わせて屈曲させたうえ、このリブ１０３の先端部とリブ１０３の先端部に対峙する側壁部１０２ｂの内面とにより挟持している。
【先行技術文献】
【特許文献】
【０００５】
【特許文献１】特開２００４−１６６４５４号公報
【発明の概要】
【発明が解決しようとする課題】
【０００６】
しかしながら、上述のプロテクタ１０１は、リブ１０３に位置に合わせて電線群１０４を屈曲させているため、プロテクタ本体１０２の内部に電線群１０４を収容して位置決めする作業を効率よく行うことができないないという問題があった。
【０００７】
また、プロテクタ１０１は、電線群１０４がリブ１０３によって押圧されることになるため、電線群１０４の屈曲部分において電線群１０４の導体に応力が掛かるという問題があった。
【０００８】
本発明は、上述のような課題を解決するためになされたもので、プロテクタ本体に電線群を効率よく収容して位置決めすることができ、電線群の導体に応力が掛からないプロテクタおよびワイヤハーネスを提供することを目的としている。
【課題を解決するための手段】
【０００９】
本発明に係るプロテクタは、上記目的達成のため、電線群を被覆しかつ前記電線群に対し周方向の長さが大きいことにより前記電線群の一側において二つ折り可能な余長部を有する可撓性チューブの端部を収容するとともに前記余長部を固定するプロテクタであって、底壁部および前記底壁部の両縁部に連なる一対の側壁部を有する可撓性チューブの端部を収容するプロテクタ本体と、前記プロテクタ本体の一方の側壁部に設けられ、前記可撓性チューブの前記二つ折りの余長部を挟み入れて固定するスリット部と、を備えた構成である。
【００１０】
この構成により、本発明に係るプロテクタは、可撓性チューブの端部をプロテクタ本体に差し込んで、可撓性チューブの前記二つ折りの余長部を側壁部のスリット部に挿入し、可撓性チューブの前記二つ折りの余長部をスリット部に挟んでプロテクタ本体に固定する。このため、本発明に係るプロテクタは、電線群を屈曲させることなく、プロテクタ本体に効率よく収容して位置決めすることができ、電線群の導体に応力が掛かることがない。
【００１１】
また本発明に係るプロテクタは、上記目的達成のため、電線群を被覆しかつ前記電線群に対し周方向の長さが大きいことにより前記電線群の一側において二つ折り可能な余長部を有する可撓性チューブの端部を収容するとともに前記余長部を固定するプロテクタであって、底壁部および前記底壁部の両縁部に連なる一対の側壁部を有し可撓性チューブの端部を収容するプロテクタ本体と、前記底壁部から前記一方の側壁部に近接して立上がるリブと、前記リブに設けられ、前記可撓性チューブの前記二つ折りの余長部を挟み入れて固定するスリット部と、を備えた構成である。
【００１２】
この構成により、本発明に係るプロテクタは、可撓性チューブの端部をプロテクタ本体に差し込んで、可撓性チューブの前記二つ折りの余長部をリブのスリット部に挿入し、可撓性チューブの前記二つ折りの余長部をスリット部に挟んでプロテクタ本体に固定する。このため、本発明に係るプロテクタは、電線群を屈曲させることなく、プロテクタ本体に効率よく収容して位置決めすることができ、電線群の導体に応力が掛かることがない。
【００１３】
上記プロテクタにおいて、前記プロテクタ本体の上部開口を閉塞する蓋体をさらに備え、前記蓋体には、前記上部開口を閉鎖するときに、前記リブと前記一方の側壁部との空隙に前記底壁部近傍まで入り込んで前記二つ折りの余長部を前記底壁部へ押付ける余長部押圧部を有する構成とすることが好ましい。
【００１４】
この構成により、本発明に係るプロテクタは、蓋体により一対の側壁部の縁部間の上部開口を閉鎖するときに、余長部押圧部がリブと一方の側壁部との間の空隙に嵌まり込んで、可撓性チューブの端部の前記二つ折りの余長部をプロテクタ本体の底壁部に押圧する。このため、本発明に係るプロテクタは、可撓性チューブをプロテクタ本体に強固に固定することができる。
【００１５】
さらにまた、本発明に係るプロテクタは、上記目的達成のため、電線群を被覆しかつ前記電線群に対し周方向の長さが大きいことにより前記電線群の一側において二つ折り可能な余長部を有する可撓性チューブの端部を収容するとともに前記余長部を固定するプロテクタであって、ヒンジ部で一体に連結された断面Ｌ字形状の第１の角筒形成用半体と断面Ｌ字形状の第２の角筒形成用半体とが、閉じ合わされかつ閉じ合わせ部に備えたロック具でロックされた角筒状の形態で前記可撓性チューブの端部を収容するプロテクタ本体と、前記角筒状の形態になったときに、前記ヒンジ部の一側に形成される前記第１の角筒形成用半体と前記第２の角筒形成用半体との隙間であって、前記二つ折りの余長部を挟み入れて固定するスリット部を有する構成である。
【００１６】
この構成により、本発明に係るプロテクタは、可撓性チューブの端部を第１の角筒形成用半体と第２の角筒形成用半体とを角筒状に閉じ合わせたプロテクタ本体に差し込んで、可撓性チューブの前記二つ折りの余長部をスリット部に挿入し、可撓性チューブの前記二つ折りの余長部をスリット部に挟んでプロテクタ本体に固定する。このため、本発明に係るプロテクタは、電線群を屈曲させることなく、プロテクタ本体に効率よく収容して位置決めすることができ、電線群の導体に応力が掛かることがない。
【００１７】
上記プロテクタにおいて、前記スリット部は、スリット長手方向の開放端側より閉塞端側に向けて先細りとなるテーパー形状を有する構成とすることが好ましい。
【００１８】
この構成により、本発明に係るプロテクタは、スリット部に可撓性チューブの前記二つ折りの余長部をプロテクタ本体の閉塞端側に押し込むほど、前記二つ折りの余長部がスリット部に強く挟持される。このため、本発明に係るプロテクタは、可撓性チューブをプロテクタ本体に強固に固定することができる。
【００１９】
本発明に係るワイヤハーネスは、上記目的達成のため、電線群と、前記電線群を被覆する可撓性チューブと、請求項１ないし請求項５のいずれか１項に記載のプロテクタと、を有し、前記プロテクタ本体に前記可撓性チューブの端部を収容するとともに、前記可撓性チューブの前記二つ折りの余長部を前記スリット部に挟み入れて固定している構成である。
【００２０】
この構成により、本発明に係るワイヤハーネスは、可撓性チューブの端部をプロテクタ本体に差し込んで、可撓性チューブの前記二つ折りの余長部をスリット部に挿入し、可撓性チューブの前記二つ折りの余長部をスリット部に挟んでプロテクタ本体に固定する。このため、本発明に係るワイヤハーネスは、電線群を屈曲させることなく、プロテクタ本体に効率よく収容して位置決めすることができ、電線群の導体に応力が掛かることがない。
【発明の効果】
【００２１】
本発明によれば、プロテクタ本体に電線群を効率よく収容して位置決めすることができ、電線群の導体に応力が掛からないプロテクタおよびワイヤハーネスを提供することができる。
【図面の簡単な説明】
【００２２】
【図１】本発明の第１の実施の形態に係るワイヤハーネスの軸方向視図である。
【図２】本発明の第１の実施の形態に係るワイヤハーネスに適用するプロテクタの部分斜視図である。
【図３】図２に示すプロテクタの変形例の部分斜視図である。
【図４】本発明の第２の実施の形態に係るワイヤハーネスの軸方向視図である。
【図５】本発明の第２の実施の形態に係るワイヤハーネスに適用するプロテクタの部分斜視図である。
【図６】本発明の第３の実施の形態に係るワイヤハーネスの軸方向視図である。
【図７】本発明の第４の実施の形態に係るワイヤハーネスの軸方向視図である。
【図８】本発明の第４の実施の形態に係るワイヤハーネスに適用するプロテクタの部分斜視図である。
【図９】図８に示す第１の角筒形成用半体および第２の角筒形成用半体を閉じ合わせる前の部分斜視図である。
【図１０】従来のワイヤハーネスの概略構成図である。
【発明を実施するための形態】
【００２３】
以下、本発明の実施の形態に係るプロテクタおよびワイヤハーネスについて、図面を参照して説明する。
【００２４】
（第１の実施の形態）
図１、図２に示すように、本実施の形態に係るワイヤハーネス１は、電線群２と、電線群２と、電線群２を挿通した可撓性チューブ３と、プロテクタ４と、を有している。可撓性チューブ３は、ポリ塩化ビニル（ＰＶＣ）もしくはポリエチレン（ＰＥ）等の樹脂材料によって形成されている。可撓性チューブ３は、開口断面が電線群２の断面よりも大きく形成されており、電線群２に対して十分な長さの余長部を有している。
【００２５】
プロテクタ４は、底壁部５ａおよび底壁部５ａの両縁部に連なる一対の側壁部５ｂを有して、電線群２と、電線群２を被覆する可撓性チューブ３の端部を収容する断面コ字形状のプロテクタ本体５を備えている。プロテクタ４は、例えばポリプロピレン（ＰＰ）等の樹脂材料によって成形されている。
【００２６】
一方の側壁部５ｂは、可撓性チューブ３の端部の周方向の余長部を二つに折り畳んだ二つ折りの余長部３ａを挟み入れて固定するスリット部５ｃを有している。
【００２７】
本実施の形態に係るプロテクタ４は、可撓性チューブ３の端部をプロテクタ本体５に差し込んで、可撓性チューブ３の二つ折りの余長部３ａを側壁部５ｂのスリット部５ｃに挿入し、可撓性チューブ３の二つ折りの余長部３ａをスリット部５ｃに挟んでプロテクタ本体５に固定することによりワイヤハーネス１を構成する。
【００２８】
このため、本実施の形態に係るワイヤハーネス１およびプロテクタ４は、電線群２と、電線群２を屈曲させることなく、プロテクタ本体５に効率よく収容して位置決めすることができ、電線群２の導体に応力が掛かることがない。
【００２９】
図３は、図２に示すプロテクタ４の変形例である。プロテクタ４は、プロテクタ本体５の一方の側壁部５ｂにおけるスリット部５ｃを、プロテクタ本体５の端部からスリット部５ｃの閉塞端側に向けて先細りとなるテーパー形状にしている。
【００３０】
この変形例のプロテクタ４は、スリット部５ｃに可撓性チューブ３の二つ折りの余長部３ａをスリット部５ｃの閉塞端側に押し込むほど、二つ折りの余長部３ａがスリット部５ｃに強く挟持される。このため、変形例のプロテクタ４は、可撓性チューブ３をプロテクタ本体５に強固に固定することができる。
【００３１】
（第２の実施の形態）
図４、図５に示すように、本実施の形態に係るワイヤハーネス１Ａは、電線群２と、電線群２を挿通した可撓性チューブ３と、プロテクタ４Ａと、を有している。図中、図１、図２と同一の符号を付した部分は、同一物であるので詳細な説明を省略する。
【００３２】
プロテクタ４Ａは、底壁部６ａおよび底壁部６ａの両縁部に連なる一対の側壁部６ｂを有して、電線群２と、電線群２を被覆する可撓性チューブ３の端部を収容する断面コ字形状のプロテクタ本体６と、底壁部６ａから一方の側壁部６ｂに近接して立上がるリブ７と、を備えている。プロテクタ４Ａは、例えばポリプロピレン（ＰＰ）等の樹脂材料によって成形されている。
【００３３】
リブ７は、可撓性チューブ３の端部の周方向の余長部を二つに折り畳んだ二つ折りの余長部３ａを挟み入れて固定するスリット部７ａを有している。スリット部７ａは、図３に示すスリット部５ｃのように、プロテクタ本体６の端部からスリット部７ａの閉塞端側に向けて先細りとなるテーパー形状にすることも可能である。
【００３４】
リブ７の可撓性チューブ３の軸方向に対する長さは任意である。また、プロテクタ本体６の底壁部６ａに、スリット部７ａに対峙する空隙６ｃを形成している。この空隙６ｃは、プロテクタ本体６およびリブ７を一体成形するときの型抜きのためのものである。
【００３５】
本実施の形態に係るプロテクタ４Ａは、可撓性チューブ３の端部をプロテクタ本体６に差し込んで、可撓性チューブ３の二つ折りの余長部３ａをリブ７のスリット部７ａに挿入し、可撓性チューブ３の二つ折りの余長部３ａをスリット部７ａに挟んでプロテクタ本体６に固定することによりワイヤハーネス１Ａを構成する。
【００３６】
このため、本実施の形態に係るワイヤハーネス１Ａおよびプロテクタ４Ａは、電線群２と、電線群２を屈曲させることなく、プロテクタ本体６に効率よく収容して位置決めすることができ、電線群２の導体に応力が掛かることがない。
【００３７】
（第３の実施の形態）
図６に示すように、本実施の形態に係るワイヤハーネス１Ｂは、電線群２と、電線群２を挿通した可撓性チューブ３と、プロテクタ４Ｂと、を有している。図中、図４、図５と同一の符号を付した部分は、同一物であるので詳細な説明を省略する。
【００３８】
プロテクタ４Ｂは、底壁部６ａおよび一対の側壁部６ｂを有する断面コ字形状のプロテクタ本体６と、プロテクタ本体６の底壁部６ａから突出するリブ７と、一対の側壁部６ｂの縁部間でリブ７により仕切られた上部開口６ｄ，６ｅを閉鎖可能な蓋体８を備えている。プロテクタ４Ｂは、例えばポリプロピレン（ＰＰ）等の樹脂材料によって成形されている。
【００３９】
蓋体８は、一対の側壁部６ｂの縁部間の上部開口６ｄ，６ｅを閉鎖するときに、リブ７と一方の側壁部６ｂの間の空隙６ｆに嵌まり込んで、可撓性チューブ３の端部の二つ折りの余長部３ａを底壁部６ａに押圧する余長部押圧部８ａを有している。
【００４０】
プロテクタ本体６と蓋体８とは、ロック具９によって互いに固定されるようになっている。ロック具９は、プロテクタ本体６の側壁部６ｂの外面側に形成された凹状のロック部９ａと、蓋体８の縁部に形成されたフック状のロック部９ｂとからなる。ロック具９は、蓋体８によって一対の側壁部６ｂの間の上部開口６ｄ，６ｅが閉塞されたときに互いに係合し、蓋体８をプロテクタ本体６に拘束する。
【００４１】
本実施の形態に係るプロテクタ４Ｂは、可撓性チューブ３の端部をプロテクタ本体６に差し込んで、可撓性チューブ３の二つ折りの余長部３ａをリブ７のスリット部７ａに挿入し、可撓性チューブ３の二つ折りの余長部３ａをスリット部７ａに挟んでプロテクタ本体６に固定したうえ、蓋体８よって一対の側壁部６ｂの間の上部開口６ｄ，６ｅを閉塞することによりワイヤハーネス１Ｂを構成する。
【００４２】
このため、本実施の形態に係るワイヤハーネス１Ｂおよびプロテクタ４Ｂは、電線群２と、電線群２を屈曲させることなく、プロテクタ本体６に効率よく収容して位置決めすることができ、電線群２の導体に応力が掛かることがない。
【００４３】
さらに、本実施の形態に係るワイヤハーネス１Ｂおよびプロテクタ４Ｂは、蓋体８により一対の側壁部６ｂの縁部間の上部開口６ｄ，６ｅを閉鎖するときに、余長部押圧部８ａがリブ７と一方の側壁部６ｂとの間の空隙６ｆに嵌まり込んで、可撓性チューブ３の端部の二つ折りの余長部３ａをプロテクタ本体６の底壁部６ａに押圧するため、可撓性チューブ３をプロテクタ本体６に強固に固定することができる。
【００４４】
（第４の実施の形態）
図７〜図９に示すように、本実施の形態に係るワイヤハーネス１Ｃは、電線群２と、電線群２を挿通した可撓性チューブ３と、プロテクタ４Ｃと、を有している。図中、図１、図２と同一の符号を付した部分は、同一物であるので詳細な説明を省略する。
【００４５】
プロテクタ４Ｃは、断面Ｌ字形状の第１の角筒形成用半体１１および第２の角筒形成用半体１２と、第１の角筒形成用半体１１および第２の角筒形成用半体１２とが角筒状に閉じ合わさるように第１の角筒形成用半体１１および第２の角筒形成用半体１２の一縁部を互いに繋げるヒンジ部１３と、を有して角筒状に閉じ合わされるプロテクタ本体１０を備えている。プロテクタ４Ｃは、例えばポリプロピレン（ＰＰ）等の樹脂材料によって成形されている。
【００４６】
プロテクタ本体１０は、電線群２と、電線群２を被覆する可撓性チューブ３の端部を、第１の角筒形成用半体１１および第２の角筒形成用半体１２が角筒状に閉じ合わされた状態で収容する。
【００４７】
第１の角筒形成用半体１１は、底壁部１１ａと、底壁部１１ａに連なる側壁部１１ｂとを有している。第２の角筒形成用半体１２は、頂壁部１２ａと、頂壁部１２ａに連なる側壁部１２ｂとを有している。ヒンジ部１３は、底壁部１１ａにおいて側壁部１１ｂが連なっていない縁部と側壁部１２ｂにおいて頂壁部１２ａが連なっていない縁部とを連結している。
【００４８】
プロテクタ本体１０は、第１の角筒形成用半体１１の底壁部１１ａおよび第２の角筒形成用半体１２の側壁部１２ｂの間に、可撓性チューブ３の端部の周方向の余長部を二つに折り畳んだ二つ折りの余長部３ａを挟み入れて固定するスリット部１０ａを有している。
【００４９】
スリット部１０ａは、第１の角筒形成用半体１１および第２の角筒形成用半体１２が閉じ合わされる前に比べて、第１の角筒形成用半体１１および第２の角筒形成用半体１２が角筒状に閉じ合わされた後のほうが、底壁部１１ａと側壁部１２ｂとの間隔が狭まるようになっている。スリット部１０ａは、図３に示すスリット部５ｃのように、プロテクタ本体１０の端部からスリット部１０ａの閉塞端側に向けて先細りとなるテーパー形状にすることも可能である。
【００５０】
第１の角筒形成用半体１１と第２の角筒形成用半体１２とは、ロック具１４によって互いに固定されるようになっている。ロック具１４は、第１の角筒形成用半体１１の側壁部１１ｂの外面側に形成された凹状のロック部１４ａと、第２の角筒形成用半体１２の頂壁部１２ａの縁部に形成されたフック状のロック部１４ｂとからなる。ロック具１４は、第１の角筒形成用半体１１と第２の角筒形成用半体１２とが閉じ合わされたときに互いに係合し、第２の角筒形成用半体１２を第１の角筒形成用半体１１に拘束する。
【００５１】
本実施の形態に係るプロテクタ４Ｃは、可撓性チューブ３の端部を第１の角筒形成用半体１１と第２の角筒形成用半体１２とを角筒状に閉じ合わせたプロテクタ本体１０に差し込んで、可撓性チューブ３の二つ折りの余長部３ａをスリット部１０ａに挿入し、可撓性チューブ３の二つ折りの余長部３ａをスリット部１０ａに挟んでプロテクタ本体１０に固定することによりワイヤハーネス１Ｃを構成する。
【００５２】
このため、本実施の形態に係るワイヤハーネス１Ｃおよびプロテクタ４Ｃは、電線群２と、電線群２を屈曲させることなく、プロテクタ本体１０に効率よく収容して位置決めすることができ、電線群２の導体に応力が掛かることがない。
【００５３】
また、第１の角筒形成用半体１１および第２の角筒形成用半体１２を閉じ合わせる前に、可撓性チューブ３の二つ折りの余長部３ａをスリット部１０ａに挿入し、この後、第１の角筒形成用半体１１および第２の角筒形成用半体１２を角筒状に閉じ合わせることも可能である。
【００５４】
以上説明したように、本発明に係るプロテクタおよびワイヤハーネスは、プロテクタ本体に電線群を効率よく収容して位置決めすることができ、電線群の導体に応力が掛からないという効果を有し、プロテクタおよびワイヤハーネス全般に有用である。
【符号の説明】
【００５５】
１，１Ａ，１Ｂ，１Ｃ  ワイヤハーネス
２  電線群
３  可撓性チューブ
３ａ  二つ折りの余長部
４，４Ａ，４Ｂ，４Ｃ  プロテクタ
５，６，１０  プロテクタ本体
５ａ，６ａ  底壁部
５ｂ，６ｂ  側壁部
５ｃ，７ａ，１０ａ  スリット部
６ｄ，６ｅ  上部開口
６ｆ  空隙
７  リブ
８  蓋体
８ａ  余長部押圧部
１０ａ  スリット部
１１  第１の角筒形成用半体
１２  第２の角筒形成用半体
１３  ヒンジ部
【図１】
2016167951.tif 000003
【図２】
2016167951.tif 000004
【図３】
2016167951.tif 000005
【図４】
2016167951.tif 000006
【図５】
2016167951.tif 000007
【図６】
2016167951.tif 000008
【図７】
2016167951.tif 000009
【図８】
2016167951.tif 000010
【図９】
2016167951.tif 000011
【図１０】
2016167951.tif 000012